(57)【要約】【課題】収納箱に仕切りを設けることなく収納物を収納することができ、収納物が載置される載置面の全面が外部から目視可能であり、収納箱に外部から力が加わったとき収納物が動いて偏ってしまうことを防止できる収納箱を提供することにある。【解決手段】収納物が収納される収納空間を形成する収納箱本体２と、収納箱本体２に収容され、収納物が載置される載置面を形成する載置台３と、載置面に載置された収納物を載置面に押し付けた状態で覆う伸縮可能な透明シート６３と、透明シート６３の周縁部が固定され収納箱本体２に設置されるシート固定部材４とを備え、シート固定部材４は載置面を囲む額縁状に形成されており、透明シート６３の周縁部がシート固定部材４に固定される固定部は、載置面よりも低い位置に設けられている。【選択図】図１
2015224051.tif 000002
【特許請求の範囲】
【請求項１】
収納物が収納される収納空間を形成する収納箱本体と、
前記収納箱本体に収容され、収納物が載置される載置面を形成する載置台と、
前記載置面に載置された収納物を前記載置面に押し付けた状態で覆う伸縮可能な透明シートと、
前記透明シートの周縁部が固定され前記収納箱本体に設置されるシート固定部材と、
を備えた収納箱において、
前記シート固定部材は前記載置面を囲む額縁状に形成されており、
前記透明シートの周縁部が前記シート固定部材に固定される固定部は、前記載置面よりも低い位置に設けられることを特徴とする収納箱。
【請求項２】
請求項１に記載の収納箱であって、
前記シート固定部材は前記収納箱本体の底面に当接するように設置され、
前記固定部は、前記シート固定部材の底部に設けられることを特徴とする収納箱。
【請求項３】
請求項１または２に記載の収納箱であって、
前記シート固定部材は前記載置面の外側に設置されることを特徴とする収納箱。
【請求項４】
請求項１〜３のいずれか一に記載の収納箱であって、
前記シート固定部材は、前記シート固定部材の外周面が前記収納箱本体の内周面に当接した状態で前記収納箱本体に設置されることを特徴とする収納箱。
【請求項５】
請求項１〜４のいずれか一に記載の収納箱であって、
前記シート固定部材には、前記シート固定部材が前記収納箱本体に設置された状態で前記収納箱本体に係合可能な係合部が設けられていることを特徴とする収納箱。
【請求項６】
請求項１〜５のいずれか一に記載の収納箱であって、
前記載置台は高さが異なる複数の載置面を備えていることを特徴とする収納箱。
【請求項７】
請求項１〜６のいずれか一に記載の収納箱であって、
前記載置台は傾斜した載置面を備えていることを特徴とする収納箱。
【請求項８】
請求項１〜７のいずれか一に記載の収納箱であって、
前記載置台には、前記載置台が前記収納箱本体に収容された状態で前記収納箱本体に係合可能な係合部が設けられていることを特徴とする収納箱。
【発明の詳細な説明】
【技術分野】
【０００１】
本発明は、袋詰めしたスライスハムやウィンナーなどを収納する収納箱に関する。
【背景技術】
【０００２】
従来、袋詰めしたスライスハムやウィンナーなどの収納物を収納箱に収納して贈答品として店頭などに展示することがあるが、収納物を美的に収納するために、仕切りを用いないで収納物を収納することがある。
【０００３】
特許文献１には、図１３に示すように、カバーボード１２１とカバーボード１２２とが一対となった梱包具が記載されている。図１３Ａに示すように、カバーボード１２２には開口部１２５が形成されており、この開口部１２５には透明なカバーフィルム１２６が貼り付けられている。カバーボード１２１に梱包物品１２７を載置した状態でカバーボード１２２を閉じると、図１３Ｂに示すように、カバーボード１２２のカバーフィルム１２６が梱包物品１２７を挟み込む。
【０００４】
特許文献２には、図１４および図１５に示すように、緩衝体１３２と、この緩衝体１３２を挿入する外箱１３３とで構成した包装装置１３１が記載されている。緩衝体１３２には、開口部１３４が形成され向かい合わせに配置される２つの枠体１３５が設けられている。２つの枠体１３５には伸縮可能な樹脂フィルム１３６が各々貼付されており、包装装置１３１に収納された物品１３７は２つの樹脂フィルム１３６で挟まれて緩衝体１３２の内部で浮いている。
【先行技術文献】
【特許文献】
【０００５】
【特許文献１】特開２００６−１２３９２２号公報
【特許文献２】特開平７−３３００３４号公報
【発明の概要】
【発明が解決しようとする課題】
【０００６】
特許文献１の梱包具では、カバーフィルム１２６が、カバーボード１２１に重なるカバーボード１２２に固定されているので、カバーフィルム１２６が梱包物品１２７をカバーボード１２１に押し付ける力が弱い。さらに、梱包物品１２７が載置されるカバーボード１２１の周縁部がカバーボード１２２で覆われるので、梱包物品１２７が載置可能な範囲が狭くなる。また、カバーフィルム１２６を固定するために、カバーボード１２１と折り曲げ可能に連結したカバーボード１２１を設けているのでコストが嵩む。
【０００７】
特許文献２の包装装置１３１では、物品１３７が２つの樹脂フィルム１３６で挟まれて緩衝体１３２の内部で浮いているので安定性が悪く、また物品１３７を浮かせるために弾性変形可能で伸縮自在な樹脂フィルム１３６の強度が要求される。さらに物品Ｗを挟み込むために２枚の樹脂フィルム１３６が必要となりコストが嵩む。
【０００８】
本発明は、従来のこのような問題点を解決するためになされたものであって、その目的は、収納箱に仕切りを設けることなく収納物を収納することができ、収納物が載置される載置面の全面が外部から目視可能であり、収納箱に外部から力が加わったとき収納物が動いて偏ってしまうことを防止できる収納箱を提供することにある。
【課題を解決するための手段及び発明の効果】
【０００９】
上記目的を達成するために、本発明の一の収納箱によれば、収納物が収納される収納空間を形成する収納箱本体と、前記収納箱本体に収容され、収納物が載置される載置面を形成する載置台と、前記載置面に載置された収納物を前記載置面に押し付けた状態で覆う伸縮可能な透明シートと、前記透明シートの周縁部が固定され前記収納箱本体に設置されるシート固定部材と、を備えた収納箱において、前記シート固定部材は前記載置面を囲む額縁状に形成されており、前記透明シートの周縁部が前記シート固定部材に固定される固定部は、前記載置面よりも低い位置に設けられることを特徴とする。
【００１０】
上記構成によれば、載置面に載置された収納物を覆った透明シートの周縁部を、載置面よりも低い位置に設けたシート固定部材の固定部に固定するので、収納物が載置される載置面を外部から目視することができる。さらに、透明シートの周縁部を載置面に固定する場合に比べて強い力で収納物を載置面に押し付けることができ、収納箱に外部から力が加わったとき収納物が動いて偏ってしまうことを防止できる。また、シート固定部材を載置台と連結せず単体で形成するので構成が簡単になり、コスト削減を図ることができる。
【００１１】
また、前記シート固定部材は前記収納箱本体の底面に当接するように設置され、前記固定部は、前記シート固定部材の底部に設けられることを特徴とする。
【００１２】
上記構成によれば、透明シートの周縁部が底部に固定されたシート固定部材を、収納箱本体の底面に当接するように設置して、簡単に、透明シートの周縁部を載置面に固定する場合よりも強い力で収納物を載置面に押し付けることができる。
【００１３】
また、前記シート固定部材は前記載置面の外側に設置されることを特徴とする。
【００１４】
上記構成によれば、載置面にシート固定部材が被さらないので、収納物が載置された載置面をすっきりとした外観として、載置面の全体を外部から視認することができる。
【００１５】
また、前記シート固定部材は、前記シート固定部材の外周面が前記収納箱本体の内周面に当接した状態で前記収納箱本体に設置されることを特徴とする。
【００１６】
上記構成によれば、位置決めされた状態でシート固定部材を収納箱本体に設置することができる。
【００１７】
また、前記シート固定部材には、前記シート固定部材が前記収納箱本体に設置された状態で前記収納箱本体に係合可能な係合部が設けられていることを特徴とする。
【００１８】
上記構成によれば、係合部が収納箱本体に係合しているので、収納箱の外部から力が加わって、シート固定部材が不用意に外れることを防止できる。
【００１９】
また、前記載置台は高さが異なる複数の載置面を備えていることを特徴とする。
【００２０】
上記構成によれば、高さが高い載置面には厚みが薄い収納物を載置し、高さが低い載置面には厚みが厚い収納物を載置して、載置台に載置した収納物の高さを揃えることができる。これによって、透明シートで覆った状態で複数の収納物を略均等な力で載置台側に押し付けることができる。
【００２１】
また、前記載置台は傾斜した載置面を備えていることを特徴とする。
【００２２】
上記構成によれば、載置面が傾斜しているので、載置面上に載置する収納物の載置位置を変えて載置面に載置した収納物の高さを揃えることができる。
【００２３】
また、前記載置台には、前記載置台が前記収納箱本体に収容された状態で前記収納箱本体に係合可能な係合部が設けられていることを特徴とする。
【００２４】
上記構成によれば、係合部が収納箱本体に係合しているので、収納箱の外部から力が加わって、載置台が不用意に外れることを防止できる。
【図面の簡単な説明】
【００２５】
【図１】本発明の一実施の形態に係る収納箱の構成部品を示す斜視図である。
【図２】収納箱本体に載置台が載置された状態の斜視図である。
【図３】載置台に載置した収納物をシート固定部材で覆った状態の斜視図である。
【図４】載置台の展開図である。
【図５】載置台の斜視図である。
【図６】シート固定部材の展開図である。
【図７】シート固定部材の組み立て手順を示す斜視図である。
【図８】シート固定部材の組み立て手順を示す斜視図である。
【図９】シート固定部材の組み立て手順を示す斜視図である。
【図１０】シート固定部材の組み立て手順を示す斜視図である。
【図１１】他の実施形態に係る載置台の斜視図である。
【図１２】収納物が収納された収納箱の断面図である。
【図１３】従来の梱包具を示す収納箱の断面図である。
【図１４】従来の梱包具を示す収納箱の断面図である。
【図１５】従来の梱包具を示す収納箱の断面図である。
【発明を実施するための形態】
【００２６】
以下、本発明の実施例を図１〜図１２に基づいて説明する。ただし、以下に示す実施例は、本発明の技術思想を具体化するための収納箱を例示するものであって、収納箱を以下のものに限定するものではない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２７】
図１は、本発明の収納箱１の構成部品を示す斜視図である。収納箱１は、収納箱本体２と、収納物が載置される載置台３と、シート固定部材４と、蓋５とを備えている。シート固定部材４は、額縁状に形成された側壁６の内側に樹脂製の透明シート６３が貼付されており、この透明シート６３で、載置台３に載置された収納物を覆った状態で収納箱本体２に設置される。図２は、収納箱本体２に載置台３が設置された状態を示し、図３は、収納箱本体２に設置した載置台３に収納物を載置し、さらにシート固定部材４を収納箱本体２に設置して、載置台３に載置した収納物を透明シート６３で覆った状態を示す。
【００２８】
図４は載置台３の展開図を示す。載置台３は中央部に載置面１１を備えており、載置面１１の周囲には、折曲線１２，１３，１４，１５を介して側壁部１８，１９，２０，２１が連設されている。なお、折曲線１２，１４，１５は、載置面１１側に凸となる円弧状に形成されている。各側壁部１８，１９，２０，２１の外側には、折曲線２５，２６，２７，２８を介して底部壁３２，３３，３４，３５が形成されている。載置面１１にはコの字状の切り込み３８が設けられており、切り込み３８の端部間は折曲線１２で繋がれている。切り込み３８によって後述する載置面５３が形成される。なお、底部壁３２，３３の端部には、収納箱本体２の底部に形成された切り欠き４０に係合する凸部４１が形成されている。
【００２９】
ここで、ブランク材を折り曲げて載置台３を作成する手順について説明する。載置面３の周囲に設けられた一方の対向する側壁部２０，２１を、折曲線１４，１５で、載置面１１に対して垂直に下側に折り曲げる。さらに底部壁３４，３５を折曲線２７，２８で外側に折り曲げて水平方向に向ける。そして、載置面１１の周囲に設けられた他方の対向する側壁部１８，１９を、折曲線１２，１３で載置面１１に対して垂直に下側に折り曲げ、さらに底部壁３２，３３を折曲線２５，２６で外側に折り曲げて水平方向に向ける。作成された載置台３を図５に示す。
【００３０】
載置台３は収納箱本体２に設置される。一方の対向する底部壁３２，３３の端部４５，４６が各々収納箱本体の側壁４７，４８に当接し、他方の対向する底部壁３４，３５の端部４９，５０が各々収納箱本体の側壁５１，５２に当接する。そして収納箱本体２の底部に形成された切り欠き４０に凸部４１が係合して固定される。このようにして、載置台３は安定した状態で収納箱本体２に収容される。
【００３１】
載置台３には水平方向に向いた載置面１１と、コの字状の切り込み３８の内側に形成され載置面１１から下方に傾斜した載置面５３が設けられている。載置面１１にはスライスハムなどの厚みが薄い収納物を載置し、載置面１１よりも低い位置にある載置面５３にはスライスハムよりも厚みが厚いウィンナーソーセージなどを載置して、収納物の厚みに関わらず載置台３に載置した収納物の高さを揃えることができる。なお、載置面５３は傾斜しているので、載置面５３上に載置する収納物の載置位置を変えて載置面５３に載置した収納物の高さを揃えることができる。
【００３２】
図６はシート固定部材４の展開図を示す。シート固定部材４は額縁状に組み立てられる。底部の中央には長方形の孔部６２が形成されている。孔部６２には、収納物を覆う伸縮性を備えた透明シート６３が貼付されている。孔部６２の開口部を形成する一方の対向する２辺には底壁６１が形成されている。
【００３３】
底壁６１の外側には、側壁６を構成する外側壁部６５，６６が設けられている。外側壁部６５，６６の外側には幅狭な上部壁部７４，７５を介してさらに内側壁部７６，７７が設けられている。内側壁部７６，７７の両側部には傾斜した折曲線７８が設けられており、この折曲線７８の外側に舌片７９が設けられている。
【００３４】
底壁６１の他方の対向する２辺には折曲線７１，７２が形成されており、この折曲線７１，７２を介して外側壁部８１，８２と上部壁部８３，８４と内側壁部８５，８６がこの順番で設けられている。上部壁部７４，７５と内側壁部７６，７７とを繋ぐ折曲線８７，８８は、内側壁部７６，７７側に凸となる緩やかな円弧で形成されており、上部壁部７４，７５は中央部が幅広に形成されている。内側壁部８５，８６の両側部は斜めにカットされており、角部に凸部９１が形成されている。
【００３５】
外側壁部６５，６６の両側部と、外側壁部８１，８２の両側部との間には折曲片８９が形成されている。折曲片８９は、折曲線７１，７２および折曲線９３，９４で折り曲げ可能であり、さらに折曲片８９の対角線上の折曲線９０で折り曲げ可能である。
【００３６】
内側壁部８５，８６に形成された凸部９１は、後述するように折曲線７８の端部に形成された切り込み９２に係合する。なお、底壁６１と外側壁部６５，６６とを接続する折曲線９３，９４上には凸状の切り込み９５が２つずつ形成されており、ブランク材が折り曲げられてシート固定部材４が作成されると、この切り込み９５によって係合部である凸部９６が形成される。凸部９６は収納箱本体２に設けられた被係合部である切り欠き４０に係合する。
【００３７】
次に、ブランク材を折り曲げてシート固定部材４を作成する手順について説明する。まず底壁６１の周囲に連設された一方の対向する外側壁部６５，６６と外側壁部６５，６６の両端部に位置する折曲片８９とを、底壁６１に対して垂直になるように折曲線９３，９４で折り曲げる。このときの状態を図７に示す。そして、外側壁部６５，６６に対して上部壁部７４，７５を底壁６１と平行になるように折曲線９９，１００で内側に折り曲げ、内側壁部７６，７７を折曲線８７，８８で下側に折り曲げる。さらに、内側壁部７６，７７の両端部に位置する舌片７９を内側壁部７６，７７に対して直角に折り曲げる。このときの状態を図８に示す。
【００３８】
そして外側壁部６５，６６の両側部に位置する折曲片８９を対角線上の折曲線９０で内側に折り曲げながら、外側壁部８１，８２を折曲線７１，７２で折り曲げて、底壁６１に対して立ち上げる。このときの状態を図９に示す。さらに、上部壁部８３，８４を底壁６１と平行になるように折曲線１０３，１０４で内側に折り曲げ、内側壁部８５，８６を折曲線１０５，１０６で下側に折り曲げる。そして、内側壁部８５，８６に形成された凸部９１を内側壁部７６，７７の両端部に位置する切り込み９２に係合させる。シート固定部材４はこのようにして作成される。作成されたシート固定部材４を図１０に示す。
【００３９】
載置台３に収納物を載置する場合には、たとえば載置面１１にスライスハムなどの厚みが薄い収納物を載置し、載置面１１よりも低い載置面５３にはたとえばスライスハムよりも厚みがあるウィンナーソーセージなどを載置して、収納物の厚みに関わらず載置台３に載置した収納物の高さを均一にすることができる。なお、載置面５３は傾斜しているので、収納物が載置される載置面５３上の位置を変えることによって、載置面５３に載置した収納物の高さを調整することができる。
【００４０】
底壁６１の孔部６２には透明シート６３が貼付されており、透明シート６３が糊付けされた孔部６２の周縁部を覆い隠すため、シート固定部材４は額縁状の形状としているが、側壁６の内部側に位置する内側壁部７６，７７，８５，８６を傾斜させることによって、側壁６の上部では厚みを薄くすることができる。また、上部壁部７４，７５と内側壁部７６，７７とを接続する折り曲げ線８７，８８を緩やかな円弧としているので、シート固定部材４をボリューム感を感じさせないすっきりとした外観とすることができる。
【００４１】
なお、図１１に示すように、厚みがある収納物を載置する載置面を、載置台とは別の部材１１０で形成して、この別部材１１０の載置面１１１に収納物を載置することもできる。このようにすると載置面１１１を容易に水平面とすることができ、より安定した状態で収納物を載置することができる。また収納箱１に収納する収納物の高さに応じて、載置面１１１の高さを可変とすることもできる。
【００４２】
図１２は、図３に示す収納箱１のＸＩＩ−ＸＩＩ断面を示す。収納箱本体２に収容された載置台３に収納物が載置された後、収納箱本体２にシート固定部材４が収容される。シート固定部材４は、シート固定部材４の外周面である外側壁部６５，６６，８１，８２が収納箱本体２の側壁４７，４８，５１，５２の内周面に当接した状態で収納箱本体２に設置されるので、シート固定部材４を位置決めされた状態で収納箱本体２に設置することができる。載置台３が収容された収納箱本体２の上方からシート固定部材４を収納箱本体２に嵌め込むと、シート固定部材５の孔部６２に貼付された透明シート６３が、載置台３に載置された収納物を載置面１１，５３に押し付けて覆う。収納物は高さが揃うように載置面１１と載置面５３とに載置されており、透明シート６３で覆われた収納物は略均等に載置面１１,５３側に押し付けれられて、安定した状態で固定される。
【００４３】
シート固定部材４は、透明シート６３が貼付された側壁６が、載置台３の底部壁３２，３３，３４，３５に当接した状態で収納箱本体２に収容され、外側壁部６５，６６から突出する凸部９６が収納箱本体２の側壁の下部に設けられた被係合部である切り欠き４０に係合して固定される。透明シート６３が貼付された貼付面は、収納物が載置される載置面１１，５３よりも低い位置にあるので、収納箱１に載置した収納物を外部から目視することができる。また、収納箱本体２の底面に載置された収納物を覆う透明シートの周縁部を収納箱本体２の底面に接着した場合に比べて、強い力で収納物を載置台３側に押し付けることができる。
【産業上の利用可能性】
【００４４】
本発明の収納箱は、袋詰めしたスライスハムやウィンナーなどの食品、化粧品、医薬品などの収納物を収納する収納箱として好適に利用できる。
【符号の説明】
【００４５】
１…収納箱
２…収納箱本体
３…載置台
４…シート固定部材
５…蓋
６，４７，４８，５１，５２…側壁
１１，５３，１１１…載置面
１２，１３，１４，１５，２５，２６，２７，２８，７１，７２，７８，８７，８８，９０，９３，９４，９９，１００，１０３，１０４，１０５，１０６…折曲線
１８，１９，２０，２１  …側壁部
３２，３３，３４，３５…底部壁
３８，９２…切り込み
４０…切り欠き
４１，９１，９６…凸部
４５，４６，４９，５０…端部
６１…底壁
６２…孔部
６３…透明シート
６５，６６，８１，８２…外側壁部
７４，７５，８３，８４…上部壁部
７６，７７，８５，８６…内側壁部
７９…舌片
８９…折曲片
９５…切り込み
１１０…部材
１２１…カバーボード
１２２…カバーボード
１２５…開口部
１２６…カバーフィルム
１２７…梱包物品
１３１…包装装置
１３２…緩衝体
１３３…外箱
１３４…開口部
１３５…枠体
１３６…樹脂フィルム
１３７…物品
【図１】
2015224051.tif 000003
【図２】
2015224051.tif 000004
【図３】
2015224051.tif 000005
【図４】
2015224051.tif 000006
【図５】
2015224051.tif 000007
【図６】
2015224051.tif 000008
【図７】
2015224051.tif 000009
【図８】
2015224051.tif 000010
【図９】
2015224051.tif 000011
【図１０】
2015224051.tif 000012
【図１１】
2015224051.tif 000013
【図１２】
2015224051.tif 000014
【図１３】
2015224051.tif 000015
【図１４】
2015224051.tif 000016
【図１５】
2015224051.tif 000017